(57)【要約】【課題】セラミックメタルハライドランプにおいて、構造が簡単であり、且つ、発光管のキャピラリ部の破壊を回避することができる発光管の支持構造を提供する。【解決手段】セラミックメタルハライドランプは、透光性外管、発光管、電極リード、給電用リード線、及び、フレームを有する。２つの電極リードの一方に前記発光管を支持する支持構造が設けられ、前記支持構造は、一端が前記電極リードに接続され他端が前記給電用リード線又は前記フレームに接続された金属板を有し、前記金属板の長手方向は、前記キャピラリ部の軸線に対して直交する方向に沿っており、前記金属板の幅方向は、前記キャピラリ部の軸線に沿って配置されている。【選択図】図１Ａ
2014120462.tif 000002
【特許請求の範囲】
【請求項１】
透光性外管と、１対の電極を内包し両端にキャピラリ部を有する発光管と、前記２つのキャピラリ部から突出した電極リードと、該電極リードに電力を供給する給電用リード線と、前記発光管の外側に軸線方向に沿って延びるフレームと、を有するセラミックメタルハライドランプにおいて、
前記２つの電極リードの一方に前記発光管を支持する支持構造が設けられ、前記支持構造は、一端が前記電極リードに接続され他端が前記給電用リード線又は前記フレームに接続された金属板を有し、前記金属板の長手方向は、前記キャピラリ部の軸線に対して直交する方向に沿っており、前記金属板の幅方向は、前記キャピラリ部の軸線に沿って配置されていることを特徴とするセラミックメタルハライドランプ。
【請求項２】
請求項１記載のセラミックメタルハライドランプにおいて、
前記金属板は、前記キャピラリ部の軸線方向に沿って横に並べられた複数の帯状金属板を含むことを特徴とするセラミックメタルハライドランプ。
【請求項３】
請求項１記載のセラミックメタルハライドランプにおいて、
前記金属板は、前記キャピラリ部の軸線方向に沿って横に並べられた複数の対の帯状金属板を含み、各対の帯状金属板は、前記電極リードと前記給電用リード線又は前記フレームを両側から挟むように重ねられていることを特徴とするセラミックメタルハライドランプ。
【請求項４】
請求項１〜３のいずれか１項記載のセラミックメタルハライドランプにおいて、
一端が前記電極リードに接続され他端が前記フレームに接続された位置決め部材を有し、前記金属板と前記位置決め部材は、前記キャピラリ部の軸線に対して、直径方向両側に沿って延びていることを特徴とするセラミックメタルハライドランプ。
【請求項５】
請求項１〜４のいずれか１項記載のセラミックメタルハライドランプにおいて、
前記帯状金属板の幅は２〜６ｍｍ、長さは２５〜３５ｍｍ、厚さは０．１〜０．４ｍｍの鉄ニッケル合金製であることを特徴とするセラミックメタルハライドランプ。
【請求項６】
請求項１〜５のいずれか１項記載のセラミックメタルハライドランプにおいて、
前記２つのキャピラリ部の各々に、中心に孔を備えた支持板が設けられ、前記キャピラリ部の各々は、前記支持板の孔に挿通されることによって、前記キャピラリ部の軸線に対して直交する方向の変位が拘束されるように構成されていることを特徴とするセラミックメタルハライドランプ。
【請求項７】
請求項１〜６のいずれか１項記載のセラミックメタルハライドランプにおいて、
前記外管の端部に設けられた口金と、該口金に装着されたステムと、を有し、前記フレーム及び前記給電用リード線の少なくとも一方は、前記ステムの端子に接続されて支持されていることを特徴とするセラミックメタルハライドランプ。
【請求項８】
請求項１〜７のいずれか１項記載のセラミックメタルハライドランプにおいて、
前記２つの電極リードのうち、前記支持構造が設けられた第１の電極リードとは反対側の第２の電極リードと前記給電用リード線又は前記フレームは金属リボンによって接続されていることを特徴とするセラミックメタルハライドランプ。
【発明の詳細な説明】
【技術分野】
【０００１】
本発明は、セラミックメタルハライドランプに関し、特に、発光管の支持構造に関する。
【背景技術】
【０００２】
近年、石英ガラス製の発光管の代わりにセラミック製の発光管を用いるセラミックメタルハライドランプが使用されている。セラミックメタルハライドランプでは、発光効率が８０ｌｍ／Ｗ以上かつ平均演色評価数（Ｒａ）が８０以上という高効率かつ高演色を実現することができる。セラミックメタルハライドランプは、発光管とそれを覆う透明な外管を有する。発光管の内部には、不活性ガス、水銀、金属ハロゲン化物等を封入されている。
【先行技術文献】
【特許文献】
【０００３】
【特許文献１】再公表特許WO2006/088128号
【特許文献２】特開2005-135665号
【特許文献３】特開2006-252842号
【発明の概要】
【発明が解決しようとする課題】
【０００４】
発光管は中央の発光部とその両側のキャピラリ部を有する。キャピラリ部から電極リードが突出している。搬送中に、発光管に対して振動又は衝撃が加わるとキャピラリ部又は電極リードが破損することがある。特許文献２、３には、キャピラリ部の破損を防止するための支持構造の例が記載されている。高ワットセラミックメタルハライドランプでは、発光管の重量が比較的大きい。そのため、発光管の貫性力によって電極リードが折れることがある。発光管の支持構造は、構造が簡単であり、且つ、電極リードが折れることを阻止する機能を有することが好ましい。
【０００５】
本発明の目的は、セラミックメタルハライドランプにおいて、構造が簡単であり、且つ、発光管の両端の電極リードの破損を回避することができる発光管の支持構造を提供することにある。
【課題を解決するための手段】
【０００６】
本発明によると、透光性外管と、１対の電極を内包し両端にキャピラリ部を有する発光管と、前記２つのキャピラリ部から突出した電極リードと、該電極リードに電力を供給する給電用リード線と、前記発光管の外側に軸線方向に沿って延びるフレームと、を有するセラミックメタルハライドランプにおいて、
前記２つの電極リードの一方に前記発光管を支持する支持構造が設けられ、前記支持構造は、一端が前記電極リードに接続され他端が前記給電用リード線又は前記フレームに接続された金属板を有し、前記金属板の長手方向は、前記キャピラリ部の軸線に対して直交する方向に沿っており、前記金属板の幅方向は、前記キャピラリ部の軸線に沿って配置されている。
【０００７】
本発明の実施形態によると、前記セラミックメタルハライドランプにおいて、前記金属板は、前記キャピラリ部の軸線方向に沿って横に並べられた複数の帯状金属板を含んでよい。
【０００８】
本発明の実施形態によると、前記セラミックメタルハライドランプにおいて、前記金属板は、前記キャピラリ部の軸線方向に沿って横に並べられた複数の対の帯状金属板を含み、各対の帯状金属板は、前記電極リードと前記給電用リード線又は前記フレームを両側から挟むように重ねられてよい。
【０００９】
本発明の実施形態によると、前記セラミックメタルハライドランプにおいて、一端が前記電極リードに接続され他端が前記フレームに接続された位置決め部材を有し、前記金属板と前記位置決め部材は、前記キャピラリ部の軸線に対して、直径方向両側に沿って延びてよい。
【００１０】
本発明の実施形態によると、前記セラミックメタルハライドランプにおいて、前記帯状金属板の幅は２〜６ｍｍ、長さは２５〜３５ｍｍ、厚さは０．１〜０．４ｍｍの鉄ニッケル合金製であってよい。
【００１１】
本発明の実施形態によると、前記セラミックメタルハライドランプにおいて、前記２つのキャピラリ部の各々に、中心に孔を備えた支持板が設けられ、前記キャピラリ部の各々は、前記支持板の孔に挿通されることによって、前記キャピラリ部の軸線に対して直交する方向の変位が拘束されるように構成されてよい。
【００１２】
本発明の実施形態によると、前記セラミックメタルハライドランプにおいて、前記外管の端部に設けられた口金と、該口金に装着されたステムと、を有し、前記フレーム及び前記給電用リード線の少なくとも一方は、前記ステムの端子に接続されて支持されてよい。
【００１３】
本発明の実施形態によると、前記セラミックメタルハライドランプにおいて、前記２つの電極リードのうち、前記支持構造が設けられた第１の電極リードとは反対側の第２の電極リードと前記給電用リード線又は前記フレームは金属リボンによって接続されてよい。
【００１４】
本実施形態では、前記セラミックメタルハライドランプにおいて、一端が前記給電用リード線に接続され他端が前記フレームに接続された位置決め部材を有してよい。
【００１５】
本実施形態では、前記セラミックメタルハライドランプにおいて、前記キャピラリ部は前記キャピラリ部の両側のフレームを架橋する金属線支持体によって支持されていてよい。
【発明の効果】
【００１６】
本発明によれば、セラミックメタルハライドランプにおいて、構造が簡単であり、且つ、発光管の両端の電極リードの破損を回避することができる発光管の支持構造を提供することができる。
【図面の簡単な説明】
【００１７】
【図１Ａ】図１Ａは、本発明に係るセラミックメタルハライドランプの例の正面構成を説明する図である。
【図１Ｂ】図１Ｂは、本発明に係るセラミックメタルハライドランプの例の側面構成を説明する図である。
【図２Ａ】図２Ａは、本発明に係るセラミックメタルハライドランプの発光管の支持構造の例を説明する図である。
【図２Ｂ】図２Ｂは、本発明に係るセラミックメタルハライドランプの発光管の支持構造の例を説明する図である。
【図３Ａ】図３Ａは、本発明に係るセラミックメタルハライドランプの他の例の正面構成を説明する図である。
【図３Ｂ】図３Ｂは、本発明に係るセラミックメタルハライドランプの他の例の側面構成を説明する図である。
【図４Ａ】図４Ａは、本発明に係るセラミックメタルハライドランプの発光管の例を説明する図である。
【図４Ｂ】図４Ｂは、本発明に係るセラミックメタルハライドランプの発光管の例を説明する図である。
【図５Ａ】図５Ａは、本発明に係るセラミックメタルハライドランプの発光管の例を説明する図である。
【図５Ｂ】図５Ｂは、本発明に係るセラミックメタルハライドランプの発光管の例を説明する図である。
【発明を実施するための形態】
【００１８】
以下、本発明に係るセラミックメタルハライドランプの実施形態に関して、添付の図面を参照しながら詳細に説明する。なお、図中、同じ要素に対しては同じ参照符号を付して、重複した説明を省略する。
【００１９】
図１Ａ及び図１Ｂを参照して本発明に係るセラミックメタルハライドランプの第１の例を説明する。図１Ａは、本発明に係るセラミックメタルハライドランプの第１の例の正面構成を示し、図１Ｂは、本発明に係るセラミックメタルハライドランプの第１の例の側面構成を示す。
【００２０】
セラミックメタルハライドランプは、透光性の外管７とその内部に収容された透光性セラミック製の発光管１を有する。本例の発光管１は両端に、第１及び第２のキャピラリ部１Ａ、１Ｂを有する。発光管１の構造は後に詳細に説明する。
【００２１】
外管７内は高真空状態にて保持されている。発光管１内には、不活性ガス、数種の金属ハロゲン化物、及び、封入密度約６．０ｍｇ/ｃｍ3の水銀が封入されている。外管７の端部には口金８が装着され、口金８にはステム２が装着されている。図１Ｂに示すように、ステム２には２本の端子が設けられている。一方の端子には、金属製のフレーム３が装着され、他方の端子には、口金側の第１の給電用リード線１０ａが接続されている。図１Ａに示すように、フレーム３には、第２の給電用リード線１０ｂが接続されている。給電用リード線１０ａ、１０ｂは、フレーム３又はステムの端子に溶接され固定されている。
【００２２】
フレーム３は、外管７内の部品及び部材を支持する機能を有するが、同時に給電機能を提供してもよい。図示の例では、フレーム３は単一の閉じた四角形であるが他の形状又は複数の部材であってもよい。
【００２３】
給電用リード線１０ａ、１０ｂは、給電機能を有するが、同時に、発光管１を支持する機能を備えてもよい。従って、フレーム３、及び、給電用リード線１０ａ、１０ｂは、良好な電気的導電性と適当な剛性を有する金属材料によって構成される。フレーム３と給電用リード線１０ａ、１０ｂは、同一の材質及び太さであってもよいが、異なる材質及び太さであってよい。２つの給電用リード線１０ａ、１０ｂは、同一の材質及び太さであってもよいが、異なる材質及び太さであってよい。例えば、給電用リード線１０ａ、１０ｂは、線径１．０ｍｍの硬質モリブデン線であってよい。
【００２４】
発光管１の周囲は、円筒状の透光性スリーブ６によって囲まれている。透光性スリーブ６は、フレーム３に支持されている。図示のように、金属線１２が、フレーム３および透光性スリーブ６の外側面に沿って巻かれている。金属線１２は、例えば、線径０．２５〜０．６０ｍｍの硬質モリブデン線であってよい。金属線１２の両端は、フレーム３に溶接され固定されている。
【００２５】
発光管１のキャピラリ部１Ａ、１Ｂから、それぞれ電極リード１ａ、１ｂが突出している。口金側の第１の電極リード１ａは、口金側の金属リボン１５を介して、口金側の第１の給電用リード線１０ａに電気的に接続され、更に、ステム２の一方の端子に接続されている。口金と反対側、即ち、トップ側の第２の電極リード１ｂは、トップ側の金属板１４を介して、トップ側の第２の給電用リード線１０ｂに電気的に接続され、更に、フレーム３を介して、ステム２の他方の端子に接続されている。金属板１４及び金属リボン１５の構造及び機能については後に詳細に説明する。
【００２６】
本例では、口金側の第１の給電用リード線１０ａはステム２の端子に直接固定され、トップ側の第２の給電用リード線１０ｂはフレーム３に固定されているが、これは単なる例示であって、他の構成も可能である。例えば、両方の給電用リード線１０ａ、１０ｂがステム２の各端子に直接固定されてもよい。この場合には、フレーム３はステム２の絶縁部分に直接固定される。更に、トップ側の金属板１４は直接フレーム３に接続されてよい。この場合には、フレーム３が給電用リード線の機能を有するから、トップ側の第２の給電用リード線１０ｂは省略される。
【００２７】
発光管１とステム２の間には始動回路が設けられている。始動回路は、バイメタルユニット２２及び非線形強誘電性セラミックコンデンサ（ＦＥＣ）を有する。
【００２８】
発光管１のキャピラリ部１Ａ、１Ｂに、それぞれ支持板５ａ、５ｂが設けられている。支持板５ａ、５ｂは、フレーム３に支持されている。支持板５ａ、５ｂは中心に支持孔を有する。発光管１のキャピラリ部１Ａ、１Ｂは、支持板５ａ、５ｂの支持孔にそれぞれ挿通されている。支持板５ａ、５ｂは、発光管１のキャピラリ部１Ａ、１Ｂの振れを規制する拘束機構を有する。この拘束機構について、以下に説明する。
【００２９】
キャピラリ部１Ａ、１Ｂは、支持板５ａ、５ｂの支持孔にそれぞれ挿通されているため、キャピラリ部１Ａ、１Ｂの振れ、即ち、発光管１の軸線方向に直交する方向の変位は制限されるが、発光管１の軸線方向の変位を拘束することはできない。支持板５ａ、５ｂの支持孔の内径は、発光管１のキャピラリ部１Ａ、１Ｂの外径より僅かに大きくてよい。即ち、支持板５ａ、５ｂの支持孔と発光管１のキャピラリ部１Ａ、１Ｂの間に僅かな隙間を設けてよい。キャピラリ部１Ａ、１Ｂは、この隙間に相当する量だけ変位が可能である。この隙間を調節することによって、キャピラリ部１Ａ、１Ｂの振れの量を調節することができる。
【００３０】
支持板５ａ、５ｂは薄い板状部材によって形成されており、撓むことができる。しかしながら、支持板５ａ、５ｂが撓んでも、発光管１のキャピラリ部１Ａ、１Ｂの振れを制限する機能は影響されない。
【００３１】
支持板５ａ、５ｂは、中心に支持孔を備え、半径方向外縁部に装着部を備えればよく、その形状は特に限定されない。例えば、中心に支持孔を備えた十字状部材であってもよく、中心に支持孔を備えた円板であってもよく、更に、中心に支持孔を備えた帯状部材であってもよい。尚、支持板５ａ、５ｂの半径方向外縁部の装着部は、リング状であってもよい。
【００３２】
本願の発明者は、高ワットセラミックメタルハライドランプのように発光管の重量が比較的大きい場合でも、衝撃によって電極リードが折れることがないようにするにはどのような対策を講ずればよいかを鋭意考察した。その結果、以下のような知見を得た。発光管１は両側の２つの電極リード１ａ、１ｂによって支持されている。しかしながら、２つの電極リード１ａ、１ｂを固定的に支持すると、発光管に振動又は衝撃が加わると、電極リードが折れることがある。そのため、２つの電極リード１ａ、１ｂの一方は固定的に支持されるが、他方は非固定的である。即ち、発光管の支持構造は、２つの電極リード１ａ、１ｂの一方に設けられる。本例では、発光管の支持構造は、第２の電極リード１ｂに設け、第１の電極リード１ａには設けない。
【００３３】
発光管１の第１のキャピラリ部１Ａの電極リード１ａに接続された金属リボン１５について説明する。金属リボン１５の一方の端部は第１の電極リード１ａに接続され、他方の端部は第１の給電用リード線１０ａに接続されている。第１の給電用リード線１０ａはキャピラリ部１Ａの軸線に略平行に配置されている。即ち、金属リボン１５は、互いに略平行に配置された第１のキャピラリ部１Ａの電極リード１ａと第１の給電用リード線１０ａを架橋するように、設けられている。
【００３４】
金属リボン１５は、どの方向にも自由に撓むことができる。金属リボン１５は帯状金属板又は金属線によって構成してよい。第１の電極リード１ａは、金属リボン１５が撓むことによって変位することができる。即ち、第１の電極リード１ａは、金属リボン１５によって固定されない。しかしながら、発光管１の軸線方向の変位は、発光管１の支持構造によって制限される。
【００３５】
発光管１の第２のキャピラリ部１Ｂの電極リード１ｂに接続された金属板１４は、発光管１の支持構造として機能する。発光管１の第２の電極リード１ｂは、この支持構造によって固定的に支持される。これについては後に図２Ａ及び図２Ｂを参照して、詳細に説明する。
【００３６】
第２のキャピラリ部１Ｂの電極リード１ｂには、更に、位置決め部材２４が接続されている。位置決め部材２４は、通常のカーボン抵抗器よりカーボン被膜を除去して電気的絶縁体に加工したものである。そのため、位置決め部材２４の外形は抵抗器の形状を有する。位置決め部材２４は、外管マウント組立工程において、発光管１の第２の電極リード１ｂが、フレーム３の所定の位置に配置されるように、第２の電極リード１ｂの先端の位置を固定するために用いる。外管マウント組立工程では、先ず、フレーム３と発光管１の間の位置合わせを行い、次に、位置決め部材２４によってフレーム３と第２の電極リード１ｂの先端を接続する。こうして第２の電極リード１ｂの先端の位置が設定される。次に、第２の給電用リード線１０ｂをフレーム３に接続し、第２の給電用リード線１０ｂと第２の電極リード１ｂの間を金属板１４によって接続する。尚、発光管１の第１の電極リード１ａにも、同様に、位置決め部材が用いられてもよい。
【００３７】
図２Ａ及び図２Ｂを参照して、発光管１の支持構造の例を説明する。図２Ａ及び図２Ｂは、図１Ａ及び図１Ｂの一部を取り出して拡大したものである。本願の発明者は、高ワットセラミックメタルハライドランプのように発光管の重量が比較的大きい場合でも、衝撃によって電極リードが折れることがないようにするにはどのような対策を講ずればよいかを鋭意考察した。上述のように、本例では、発光管の支持構造は、第２の電極リード１ｂに設け、第１の電極リード１ａには設けない。更に、本願の発明者は、第２の電極リード１ｂに設けた発光管の支持構造について鋭意考察し、次のような知見を得た。発光管の支持構造は、第２の電極リード１ｂを固定的に支持するように構成されているが、第２の電極リード１ｂの振れが許容できないように完全に固定すると、衝撃によって折れることがあることが判った。そこで、第２の電極リード１ｂの軸線方向の変位を拘束するが、第２の電極リード１ｂの軸線方向に直交する方向の変位は適度に許容したほうがよいとの結論を得た。即ち、第２の電極リード１ｂの衝撃による破断を防止するためには、第２の電極リード１ｂの振れを拘束する必要があるが、適度に許容する必要があることが判った。
【００３８】
第２のキャピラリ部１Ｂの電極リード１ｂの両側には、フレーム３が配置されている。フレーム３及び第２の給電用リード線１０ｂは、第２のキャピラリ部１Ｂの軸線に略平行に配置されている。電極リード１ｂには金属板１４が接続されている。金属板１４は、第２のキャピラリ部１Ｂの軸線方向に直交する方向に延びている。金属板１４の一方の端部は第２の電極リード１ｂに接続され、他方の端部は第２の給電用リード線１０ｂに接続されている。金属板１４は、互いに平行に配置された第２の電極リード１ｂと第２の給電用リード線１０ｂを架橋するように、設けられている。ここで、第２のキャピラリ部１Ｂの軸線に沿ってｚ軸をとり、２本のフレーム３を結ぶ線に沿ってｘ軸をとり、ｘｚ平面に直交する方向をｙ軸とする。
【００３９】
図２Ａの例では、金属板１４は、ｚ軸方向に沿って横に並べられた２枚の薄い帯状金属板によって構成されている。図２Ｂの例では、金属板１４は、ｚ軸方向に沿って横に並べられた２対の薄い帯状金属板によって構成されており、各対の帯状金属板は、第２の電極リード１ｂと第２の給電用リード線１０ｂを両側から挟むように重ねられている。
【００４０】
本実施形態では、電極リード１ｂと一方のフレーム３を架橋するように第１の位置決め部材２４が設けられ、第２の給電用リード線１０ｂと他方のフレーム３を架橋するように第２の位置決め部材２４が設けられている。第１の位置決め部材２４によって、第２のキャピラリ部１Ｂの電極リード１ｂの振れが抑制され、第２の位置決め部材２４によって、第２の給電用リード線１０ｂの振れが抑制される。
【００４１】
更に、両側のフレーム３を架橋するように設けられた金属線支持体１６によって、第２のキャピラリ部１Ｂが支持されている。金属線支持体１６は第２のキャピラリ部１Ｂに巻かれており、金属線支持体１６の一端は一方のフレーム３に接続され、金属線支持体１６の他端は他方のフレーム３に接続されている。金属線支持体１６によって第２のキャピラリ部１Ｂの振れが抑制される。尚、第１のキャピラリ部１Ａも同様に金属線支持体１６によって支持されてよい。
【００４２】
図示のように、金属板１４の長手方向は、第２のキャピラリ部１Ｂの電極リード１ｂから半径方向に沿って延びており、第２の給電用リード線１０ｂに直交する方向に沿っている。金属板１４の幅方向は、第２のキャピラリ部１Ｂの電極リード１ｂ及び第２の給電用リード線１０ｂの軸線方向（ｚ軸方向）に沿っている。金属板１４の主面、即ち、帯状金属板を含む平面は、第２のキャピラリ部１Ｂ及び第２の給電用リード線１０ｂの軸線に平行である。
【００４３】
金属板１４は、２枚の薄い帯状金属板によって構成されているから、ｚ軸に平行な軸線周りに湾曲又は撓むことができるが、帯状金属板を含む平面に直交する軸線周りには湾曲又は撓むことはできない。従って、金属板１４は、第２の電極リード１ｂの特定方向の振れを拘束するが、第２の電極リード１ｂの振れを金属板１４の湾曲又は撓みの範囲にて許容する。金属板１４は、発光管の特定の方向の変位を拘束することができるが、発光管の変位を、金属板１４の湾曲又は撓みの範囲にて許容する。
【００４４】
一方、発光管１の第１の電極リード１ａに設けられた金属リボン１５は、ｘ軸方向、ｙ軸方向及びｚ軸方向のいずれの方向にも自由に撓むことができる。従って、金属リボン１５は、第１の電極リード１ａの３軸方向の変位を許容し、支持機能を提供しない。
【００４５】
図２Ａの例では、金属板１４は２枚の薄い帯状金属板によって構成され、図２Ｂの例では、金属板１４は、２対の薄い帯状金属板によって構成されている。しかしながら、これは単なる例示であって、金属板１４を、ｚ軸方向に沿って横に並べられた３枚以上の帯状金属板、又は、３対以上の帯状金属板によって構成してもよい。本例では、金属板１４を構成する帯状金属板の枚数又は対の数を所定の数に設定することによって、支持構造の所望の強度及び所望の剛性を得ることができる。高ワットセラミックメタルハライドランプの場合には、発光管の重量が比較的大きい。このような場合には、金属板１４は、発光管の荷重を支持することができるように十分な強度及び剛性が必要である。本例では、金属板１４は、複数の帯状金属板によって構成されており、発光管の重量が比較的大きい場合には、帯状金属板の数を増加し、発光管の重量が比較的小さい場合には、帯状金属板の数を減少させればよい。従って、本発明によると、発光管の重量が変化した場合でも、それに対応して支持構造の重量負荷特性を容易に変更できる。
【００４６】
金属板１４を構成する薄い帯状金属板は、長尺の薄い帯状金属部材を所定の長さに切断することによって製造されてよい。金属板１４を構成する帯状金属板の寸法は特に限定されない。例えば、帯状金属板の幅は２〜６ｍｍ、長さは２５〜３５ｍｍ、厚さは０．１〜０．４ｍｍであってよい。好ましくは、帯状金属板の幅は４ｍｍ、長さは３０ｍｍ、厚さは０．２ｍｍであってよい。尚、金属板１４を、横に並べられた複数の薄い帯状金属板によって構成する代わりに、この帯状金属板の幅より大きい幅の１枚の薄い帯状金属板によって構成してもよい。金属板１４は、良好な導電性を有し、十分な強度及び適度な剛性を有するなら、どのような金属材料によって製造してもよく、例えば、ニッケル、銅、鉄、又は、これらの合金、又は、ステンレスによって形成してよい。しかしながら、金属板１４は、好ましくは、鉄ニッケル合金によって製造してよい。
【００４７】
金属板１４は、第２のキャピラリ部１Ａの第２の電極リード１ｂと第２の給電用リード線１０ｂに溶接によって接続されてよい。この溶接は、抵抗溶接法によって行ってよい。
【００４８】
図３Ａ及び図３Ｂを参照して本発明に係るセラミックメタルハライドランプの第２の例を説明する。図３Ａは、本発明に係るセラミックメタルハライドランプの第２の例の正面構成を示し、図３Ｂは、本発明に係るセラミックメタルハライドランプの第２の例の側面構成を示す。
【００４９】
図１Ａ及び図１Ｂの第１の例では、トップ側の第２の電極リード１ｂが支持構造によって固定的に支持されている。本例では、口金側の第１の電極リード１ａが支持構造によって固定的に支持されている。
【００５０】
口金側の第１のキャピラリ部１Ａの電極リード１ａには、金属板１４が接続されている。金属板１４は、第１のキャピラリ部１Ａの軸線方向に略直交する方向に延びている。金属板１４の一方の端部は第１の電極リード１ａに接続され、他方の端部は第１の給電用リード線１０ａに接続されている。即ち、金属板１４は、第１のキャピラリ部１Ａの電極リード１ｂと第１の給電用リード線１０ｂを架橋するように、設けられている。
【００５１】
口金側の金属板１４の構造は、図２Ａ及び図２Ｂを参照して説明したトップ側の金属板１４と同一構造を有してよい。従って、本例では、口金側の金属板１４によって、発光管１の第１の電極リード１ａは固定的に支持される。
【００５２】
トップ側の第２の電極リード１ｂには、金属リボン１５が接続されている。本例では、トップ側の第２の電極リード１ｂは、金属リボン１５が撓むことによって変位することができるが、発光管１の軸線方向の変位は、口金側の第１の電極リード１ａの固定的な支持構造によって制限される。
【００５３】
本例では、金属リボン１５の一端は、トップ側の給電用リード線１０ｂに接続されている。しかしながら、金属リボン１５の一端は、給電用リード線１０ｂの代わりに直接フレーム３に接続してもよい。この場合には、フレーム３が給電用リード線を兼用できるので、トップ側の第２の給電用リード線１０ｂは省略されてよい。
【００５４】
図４Ａ、及び、図４Ｂを参照して、発光管の構造の例を説明する。発光管１は、中心の発光部１Ｃと両側のキャピラリ部１Ａ、１Ｂを有し、透光性セラミック製である。発光管１の内部には、一対の電極棒１０１ａ、１０１ｂが設けられている。電極棒１０１ａ、１０１ｂの先端は、互いに対向して発光部１Ｃに配置されている。キャピラリ部１Ａ、１Ｂからは、それぞれ電極リード１ａ、１ｂが突出している。
【００５５】
本例では、発光部１Ｃと両側のキャピラリ部１Ａ、１Ｂは一体的に形成されている。
【００５６】
発光部１Ｃは回転楕円球体状の形状を有し、中心部にて最大径を有する。キャピラリ部１Ａ、１Ｂは、発光部１Ｃと比較して小さな径を有する。
【００５７】
発光管１の中心の発光部１Ｃは、略回転楕円球体状の形状を有するが、実際には、様々な形状が可能である。図３Ａの例では、発光部１Ｃは略卵形であるが、図３Ｂの例では、比較的細長い回転楕円体である。即ち、円筒の両端に半球を接続した形状である。
【００５８】
図５Ａ及び図５Ｂを参照して、発光管の構造の例を説明する。図５Ａの例では、発光部１Ｃと両側のキャピラリ部１Ａ、１Ｂは別個に形成されて、接続される。発光部１Ｃの両端の孔に、キャピラリ部１Ａ、１Ｂがそれぞれ挿入されて接続される。
【００５９】
図５Ｂの例では、発光部１Ｃは円筒部材１Ｅと両側のキャップ１Ｆからなる。キャップ１Ｆには中心孔が設けられている。円筒部材１Ｅとキャップ１Ｆは別個に製造され、接続される。こうして形成された発光部１Ｃの両側に、別個に製造されたキャピラリ部１Ａ、１Ｂが接続される。
【００６０】
以上、本実施形態に係るセラミックメタルハライドランプの外管保護構造について説明したが、これらは例示であって、本発明の範囲を制限するものではない。当業者が、本実施形態に対して容易になしえる追加・削除・変更・改良等は、本発明の範囲内である。本発明の技術的範囲は、添付の特許請求の記載によって定められる。
【符号の説明】
【００６１】
１…発光管、  １Ａ、１Ｂ…キャピラリ部、  １Ｃ…発光部、  １Ｅ…円筒部材、  １Ｆ…キャップ、  １ａ、１ｂ…電極リード、  ２…ステム、  ３…フレーム、  ５ａ、５ｂ…支持板、  ６…透光性スリーブ、  ７…透光性外管、  ８…口金、  １０ａ、１０ｂ…給電用リード線、  １２…金属線、  １４…金属板、  １５…金属リボン、  １６…金属線支持体、  ２２…バイメタルユニット、  ２３…非線形強誘電性セラミックコンデンサ（ＦＥＣ）、  ２４…位置決め部材
【図１Ａ】
2014120462.tif 000003
【図１Ｂ】
2014120462.tif 000004
【図２Ａ】
2014120462.tif 000005
【図２Ｂ】
2014120462.tif 000006
【図３Ａ】
2014120462.tif 000007
【図３Ｂ】
2014120462.tif 000008
【図４Ａ】
2014120462.tif 000009
【図４Ｂ】
2014120462.tif 000010
【図５Ａ】
2014120462.tif 000011
【図５Ｂ】
2014120462.tif 000012